(57)【要約】【課題】組立分解作業が極めて容易であるとともに堅牢性に優れ高い水圧にも十分耐えることができ、分解後はパーツのすべてを平らに積み重ねることができて収納スペースの削減を図ることができ、周壁の高さを簡単に変更することができて被介護者の特に膝から下の部分を身長の低い介護者でも容易に洗うことのできる簡易浴槽用組立式筐体を提供することを目的としている。【解決手段】ベース０と第１乃至第４周壁部材１０，２０，３０，４０とこれら周壁部材同士を連結固定する連結固定手段とを備え、ベース０、第２周壁部材２０、第３周壁部材３０、第４周壁部材４０、第１周壁部材１０がこの順に重畳可能に構成された簡易浴槽用組立式筐体。【選択図】  図１
2008079637.tif 000002
【特許請求の範囲】
【請求項１】
簡易浴槽用シートの全周面及び底面をそれらの外側から支持する簡易浴槽用組立式筐体において、
第１乃至第４の側縁部を有し、第１側縁部が入浴者が出入りする上がり口とされた矩形状のベースと、
このベースの第１側縁部に着脱可能に取り付けられた第１周壁部材と、
前記ベースの第２側縁部に、該ベースの上へ完全倒伏可能に取り付けられた第２周壁部材と、
前記ベースの第３側縁部に、前記ベース上に完全倒伏した前記第２周壁部材の上へ完全倒伏可能に取り付けられた第３周壁部材と、
前記ベースの第４側縁部に、前記第２周壁部材の上に倒伏した前記第３周壁部材の上へ完全倒伏可能に取り付けられた第４周壁部材と、
前記ベースの第１乃至第４側縁部上で前記第１乃至第４周壁部材が立設状態にあるときこれら周壁部材同士を連結固定する連結固定手段とを備え、
前記ベース、第２周壁部材、第３周壁部材、第４周壁部材、第１周壁部材がこの順に重畳可能に構成されたことを特徴とする簡易浴槽用組立式筐体。
【請求項２】
前記ベースは、その適所に、前記簡易浴槽用シートに接続された排水管が挿通される排水管挿通孔が設けられるとともに、下面に脚部材が取り付けられたことを特徴とする請求項１に記載の簡易浴槽用組立式筐体。
【請求項３】
前記脚部材は脚輪である請求項２に記載の簡易浴槽用組立式筐体。
【請求項４】
前記第１乃至第４の周壁部材は、棒状部材で所定形状に組まれたフレームと、このフレームの内方空間部に張設され貯湯時に前記簡易浴槽用シート内の湯の水圧を受容する受圧シートとから構成されたことを特徴とする請求項１乃至３のいずれか一つに記載の簡易浴槽用組立式筐体。
【請求項５】
前記第１乃至第４の周壁部材のうち少なくとも一つは、その縦方向の任意の位置で２つに分割可能に構成されたことを特徴とする請求項１乃至４のいずれか一つに記載の簡易浴槽用組立式筐体。
【請求項６】
前記ベースの第３側縁部には、該ベースの上面からの高さが前記第２周壁部材の厚み寸法に相当する高さの第３周壁部材取付台座が設けられ、この第３周壁部材取付台座上に前記第３周壁部材の下端部が回動可能に支持されるとともに、前記ベースの第４縁部には、該ベースの上面からの高さが前記第２周壁部材と第３周壁部材の各厚み寸法の和に相当する高さの第４周壁部材取付台座が設けられ、この第４周壁部材取付台座上に第４周壁部材の下端部が回動可能に支持されたことを特徴とする請求項１乃至５のいずれか一つに記載の簡易浴槽用組立式筐体。
【請求項７】
前記第３周壁部材は、前記ベースより前記第２周壁部材の厚み寸法に相当する距離だけ引き上げ可能とされるとともに該引き上げ状態で前記第２周壁部材の上へ完全倒伏可能とされ、前記第４周壁部材は、前記ベースより前記第２周壁部材と第３周壁部材の各厚み寸法の和に相当する距離だけ引き上げ可能とされるとともに該引き上げ状態で前記第３周壁部材の上へ完全倒伏可能とされたことを特徴とする請求項１乃至５のいずれか一つに記載の簡易浴槽用組立式筐体。
【請求項８】
請求項１乃至７のいずれか一つに記載の簡易浴槽用組立式筐体と、この簡易浴槽用組立式筐体内に配設される簡易浴槽用シートとを備えた簡易浴槽。
【発明の詳細な説明】
【技術分野】
【０００１】
本発明は、介護が必要な病人や老人の沐浴のために使用される簡易浴槽の分野において、特に、簡易浴槽用シートの全周面及び底面をそれらの外側から支持する簡易浴槽用組立式筐体、より詳しくは被介護者を車椅子に乗せたまま入浴させることができるのに適した簡易浴槽用組立式筐体に関する。
【背景技術】
【０００２】
従来、介護が必要な老人或いは病人などを安全且つ簡単な方法で入浴させることができるようにした簡易浴槽が多種提案されている。そのなかでも、特に、車椅子に被介護者を乗せたまま入浴させることができる簡易浴槽としては、周囲の三面が一体的に結合した壁体で構成されるとともに一面が開閉自在な扉とされた車椅子用の浴槽（特許文献１〜５）や、パイプ部材を直方体に組み、この中に簡易浴槽用シートを設けた分解組立が可能な車椅子用の浴槽（特許文献６〜８）、またハーフパイプ状の２つの金属製枠を円筒状に組み立て、この中に簡易浴槽用シートを設けた分解組み立てが可能な車椅子用の浴槽（特許文献９）などが知られている。
【０００３】
このような浴槽を使用することにより、車椅子に乗ったままでないと入浴できない老人や病人でも介護者の介助を受けて入浴することができ、そのような被介護者にも入浴というひとときの安らぎを与えることができる。
【特許文献１】実開平７−３６３３号公報
【特許文献２】特開平７−２６５３７１号公報
【特許文献３】特開平７−２７５３１４号公報
【特許文献４】特開２０００−１９７６７９号公報
【特許文献５】特開２００５−２０５００３号公報
【特許文献６】実開平２−１３９５８５号公報
【特許文献７】特開２００１−５８０００号公報
【特許文献８】特開２００３−１９１７９号公報
【特許文献９】実開平６−８３０２６号公報
【発明の開示】
【発明が解決しようとする課題】
【０００４】
しかしながら、上記した特許文献１〜５に所載の技術にあっては、周壁の三面が一体的に結合した壁体で構成されていることから、堅牢であり、内部に貯留される湯の水圧に十分耐えることができる反面、その構造上分解組立は不可能であるため、スペースに限りのある特に一般家庭においての使用には不向きであった。また、かなりの重量があるため、移動させるのが困難であった。
【０００５】
その点、特許文献６〜９に所載の技術にあっては、分解組立が可能な構成とされているため、特許文献１〜５に所載の技術が有する上記したような問題はないものの、パイプ部材同士を例えばビスやピン部材他簡単な止着具で連結した構造を採っているため、耐圧性に劣り、特に車椅子に乗ったままの被介護者の入浴時における貯湯量は車椅子に乗らずに入浴できる被介護者の場合に比べてかなり多く浴槽が受ける水圧が極めて高いことから、入浴時の安全性に対する不安を拭うことのできないものであった。また、分解はできてもパイプ部材単位にまで細かく分解できるものではないことから、各パーツをコンパクトに纏めることができず嵩張るため、使用しない時の収納スペースの確保が困難で、特にスペースに限りのある一般家庭では大きな問題であった。さらに、各パーツが大きいため、分解組立作業が行い辛く、特に非力な女性や年配者には取り扱いが難しかった。
【０００６】
また、上記いずれの従来技術にあっても、周壁の高さが、車椅子に乗っている被介護者の胸から肩当たりの高さに設定されており、この高さは固定であって変更することは不可能であることから、介護者が被介護者の膝から下の部分を洗おうとしたときに周壁の上縁部が介護者の脇や胸に当たることとなり、介護者の手が目的の部分に届きにくい。このため、特に膝から下の部分を介護者が満足に洗ってあげられないといった問題があった。この問題は、特に被介護者が上肢に障害があって自分の体を洗うことができず、且つ、このような被介護者の介助を身長の低い介護者が行う場合に顕著とあり、介護者及び被介護者の双方ともせっかくの入浴にもかかわらず、十分に下肢部が洗えないといった不満をかかえることになっていた。
【０００７】
本発明は上記従来の問題点を解決すべく創案されたものであり、組み立て及び分解作業が極めて容易であるとともに堅牢性に優れ高い水圧にも十分耐えることができ、また、分解後はパーツのすべてを平らに積み重ねることができて収納スペースの削減を図ることができ、さらに周壁の高さを簡単に変更することができて被介護者の特に膝から下の部分を身長の低い介護者でも容易に洗うことのできる簡易浴槽用組立式筐体及びこれを用いた簡易浴槽を提供することを目的としている。
【課題を解決するための手段】
【０００８】
上記課題を解決するため、本発明に係る簡易浴槽用組立式筐体は、簡易浴槽用シートの全周面及び底面をそれらの外側から支持する簡易浴槽用組立式筐体において、第１乃至第４の側縁部を有し、第１側縁部が入浴者が出入りする上がり口とされた矩形状のベースと、このベースの第１側縁部に着脱可能に取り付けられた第１周壁部材と、前記ベースの第２側縁部に、該ベースの上へ完全倒伏可能に取り付けられた第２周壁部材と、前記ベースの第３側縁部に、前記ベース上に完全倒伏した前記第２周壁部材の上へ完全倒伏可能に取り付けられた第３周壁部材と、前記ベースの第４側縁部に、前記第２周壁部材の上に倒伏した前記第３周壁部材の上へ完全倒伏可能に取り付けられた第４周壁部材と、前記ベースの第１乃至第４側縁部上で前記第１乃至第４周壁部材が立設状態にあるときこれら周壁部材同士を連結固定する連結固定手段とを備え、前記ベース、第２周壁部材、第３周壁部材、第４周壁部材、第１周壁部材がこの順に重畳可能に構成されたことを特徴とするものである。
【０００９】
この特定事項により、分解時にあっては、まず連結固定手段による第１乃至第４周壁部材同士の連結固定状態を解除してから、ベースの上がり口に立設されている第１周壁部材を取り外し、その後ベース上において第２周壁部材、第３周壁部材、第４周壁部材の３つの周壁部材をこの順に折り重ねるように完全倒伏させた上に先の第１周壁部材を重ねることができ、その結果ベースの上にすべての周壁部材が重畳されるから、極めて嵩の低い状態にすべての部材をまとめることができる。したがって、この状態でベッドの下方空間内に収納することも可能となる。一方、組立後にあっては、浴槽の四隅においてすべての周壁部材が相互に線接触した状態で連結固定手段により相互に連結固定されるから堅牢性を確保することができる。
【００１０】
尚、上記簡易浴槽用シートとしては、前記特許文献６、７及び９に開示されているようなシートや、本願の出願人が先に提案した特願２００６−９５３０２号に記載のシートが挙げられる。
【００１１】
上記ベースとしては、その適所に、前記簡易浴槽用シートに接続された排水管が挿通される排水管挿通孔が設けられるとともに、下面に脚部材が取り付けられたものとすることもできる。
【００１２】
この場合、簡易浴槽用シートの底から排水することができるので、浴槽内のすべての湯を速やかに排出させることができる。
【００１３】
また、上記ベースの下面に取り付けられる脚部材として、脚輪を採用してもよい。
【００１４】
この場合、上記したように分解後にベッドの下方空間内に収納する際、また引出す際に作業が楽に行える。
【００１５】
第１乃至第４の周壁部材は、その形態はパネル状であってもよいが、棒状部材で所定形状に組まれたフレームと、このフレームの内方空間部に張設され貯湯時に前記簡易浴槽用シート内の湯の水圧を受容する受圧シートとから構成されたものであってもよい。
【００１６】
この場合、耐圧性を確保しつつパネル状である場合に比べてさらに軽量化を図ることができ、非力な女性や年配者でも簡単に取り扱うことができる。
【００１７】
また、第１乃至第４の周壁部材のうち少なくとも一つは、その縦方向の任意の位置で２つに分割可能に構成されたものであってもよい。
【００１８】
この場合、周壁の高さを簡単に変更することができるので、周壁の上縁部が邪魔にならず、被介護者の特に膝から下の部分を身長の低い介護者でも容易に洗うことのできる
上記した周壁部材のうち第２乃至第４周壁部材は、ベース上において折り重ねるように完全倒伏可能な状態でベースの第２乃至第４側縁部に取り付けているが、その具体的手段の一つとして、ベースの第３側縁部には、該ベースの上面からの高さが第２周壁部材の厚み寸法に相当する高さの第３周壁部材取付台座を設け、この第３周壁部材取付台座上に第３周壁部材の下端部を回動可能に支持するとともに、ベースの第４縁部には、該ベースの上面からの高さが第２周壁部材と第３周壁部材の各厚み寸法の和に相当する高さの第４周壁部材取付台座を設け、この第４周壁部材取付台座上に第４周壁部材の下端部を回動可能に支持してもよい。
【００１９】
また、上記したような手段以外に、第３周壁部材を、ベースより第２周壁部材の厚み寸法に相当する距離だけ引き上げ可能とするとともに該引き上げ状態で第２周壁部材の上へ完全倒伏可能とし、第４周壁部材は、ベースより第２周壁部材と第３周壁部材の各厚み寸法の和に相当する距離だけ引き上げ可能とするとともに該引き上げ状態で第３周壁部材の上へ完全倒伏可能としてもよい。
【００２０】
この場合、上記したような周壁部取付台座をベースの所定の側縁部に設ける場合とは異なり、第１乃至第４周壁部材を縦寸法に留意することなく製作することができる。つまり、ベース上に周壁部材取付台座を設け、この上に周壁部材を設ける場合は、組立後に各周壁部材の上縁のレベルが揃うように、各周壁部材取付台座の高さ寸法を予め見込んだ上で第３及び第４周壁部材の各縦寸法を設定する必要があるが、上記したように第３及び第４周壁部材をそれぞれベースより所定距離だけ引き上げ可能とするとともにこの引き上げ状態で先に倒伏している周壁部材の上へ完全倒伏可能とすれば、第３及び第４周壁部材の取付部材に工夫を施すだけでよくなり、各周壁部材を製作する際に個別に縦寸法に留意する必要がない。つまり、第１乃至第４周壁部材の縦寸法を統一することができる。また、このように周壁部材の縦寸法を統一することができるため、ベースへの取付時に、例えばベースが長方形の場合、短辺用であるか長辺用であるかといった点にのみ留意するだけでよく、製造も容易となる。
【００２１】
本発明の簡易浴槽は、上記した構成の簡易浴槽用組立式筐体と、この簡易浴槽用組立式筐体内に配設される簡易浴槽用シートとを備えたものである。
【００２２】
これによれば、上記で説明した簡易浴槽用組立式筐体の作用と同様の作用を奏するとともに、分解時に、ベース及び各周壁部材が重畳された上に簡易浴槽用シートを折り畳んだ状態で載置することができ、筐体とシートとをともに、例えばベッドの下方空間内に収納することができる。
【発明の効果】
【００２３】
本発明に係る簡易浴槽用組立式筐体及びこれを用いた簡易浴槽は、組み立て及び分解作業が極めて容易であるとともに堅牢性に優れ高い水圧にも十分耐えることができ、また、分解後はパーツのすべてを平らに積み重ねることができて収納スペースの削減を図ることができ、さらに周壁の高さを簡単に変更することができて被介護者の特に膝から下の部分を身長の低い介護者でも容易に洗うことができる。
【発明を実施するための最良の形態】
【００２４】
以下、本発明の実施の形態について、図面を参照して説明する。
【００２５】
図１は本発明に係る簡易浴槽用組立式筐体を示す斜視図、図２は図１の視点とは反対側の視点から見た斜視図、図３乃至図８は分解工程を示す斜視図、図９は分解を完了しすべての部材を重畳した状態を、ベース以外の部材を想像線にして示す正面図、図１０は連結固定手段を示す部分拡大斜視図である。
【００２６】
この簡易浴槽用組立式筐体は、簡易浴槽用シート（図示省略）の全周面及び底面をそれらの外側から支持するものであり、ベース０と、このベース０上に立設される第１乃至第４の４つの周壁部材１０，２０，３０，４０と、これら周壁部材１０，２０，３０，４０同士を連結固定する連結固定手段としての多数個の連結具６０とを備えたものである。以下、各部材について詳述する。
【００２７】
＜ベースの構成＞
ベース０は、短辺の寸法が車椅子に座った入浴者の胸部から肩あたりの高さに相当する寸法とされた平面視長方形に形成されており、その適所に、簡易浴槽用シートに接続された排水管が挿通される排水管挿通孔（図示省略）が設けられるとともに、下面に脚輪５（図９参照）が取り付けられている。また、ベース０の一組の短側縁部のうち一方の短側縁部（第１側縁部）１が、入浴者が出入りする上がり口とされている（図５参照）。この上がり口は、車椅子をベース０上に誘導する歩み板の端縁を掛けることができるよう、ベース０の上面よりも一段低く設定されている。
【００２８】
さらに、ベース０の一組の長側縁部のうち一方の長側縁部（第３側縁部）３には、ベース０の上面からの高さが前記第２周壁部材２０の厚み寸法に相当する高さの第３周壁部材取付台座６が設けられている。また、これに対向する他方の長側縁部（第４側縁部）４には、ベース０の上面からの高さが第２周壁部材２０と第３周壁部材３０の各厚み寸法の和に相当する高さの第４周壁部材取付台座７が設けられている。これらの各取付台座６，７は、ベース０の本体部分と一体的に形成しても、或いは、ベース０とは別部材で形成し、ベース０の第３側縁部３及び第４側縁部４に固着してもよい。
【００２９】
上記のようになるベース０としては、当然のことながら、介護者の体重、車椅子の車重及びシート内に貯留される湯の重量の総重量に余裕を持って耐え得る剛性を有する材料であれば、木製、金属製又は合成樹脂製のいずれであってもよい。但し、軽量化の点からは、合成樹脂製又は木製が好ましい。
【００３０】
尚、上記した脚輪５に代えて短支柱状やブロック状の脚部材を設けてもよく、或いはこれら脚輪５や脚部材を省略してもよい。また、上がり口とされる第１側縁部１の構成は上記したものに限定されず、上がり口の機能が損なわれない範囲で任意である。
【００３１】
＜周壁部材の構成＞
第１乃至第４の各周壁部材１０，２０，３０，４０は、棒状部材で所定形状に組まれたフレームと、このフレームの内方空間部に張設され貯湯時に簡易浴槽用シート内の湯の水圧を受容する受圧シート５０とから構成されている。具体的には、各周壁部材１０，２０，３０，４０は、パイプ材からなるメインフレーム部１１，２１，３１，４１とサブフレーム部１２，２２，３２，４２とから構成されている。各メインフレーム部１１，２１，３１，４１には、それぞれ２枚の受圧シート５０が、上下に対向する一対の水平フレーム１３，２３，３３，４３に巻き掛けられるようにして二重に張設されるとともに、各受圧シート５０の間隙には、十字状に組んだ補強パイプ１５，２５，３５，４５の横パイプ１５ａ，２５ａ，３５ａ，４５ａが挿通されておりこれら受圧シート５０と補強パイプ１５，２５，３５，４５とが相互に補強し合うように構成されている。メインフレーム部１１，２１，３１，４１の縦寸法は、車椅子に座った入浴者の胸部から肩あたりの高さに相当する寸法に設定されており、貯湯時に湯の水圧を主としてメインフレーム部１１，２１，３１，４１で受けるように構成されている。
【００３２】
また、第１及び第２の各周壁部材１０，２０は、メインフレーム部１１，２１とサブフレーム部１２，２２とがパイプ材で一体的に組まれた構成とされているのに対し、第３及び第４の各周壁部材３０，４０は、メインフレーム部３１，４１とサブフレーム部３２，４２とが個別に組まれるとともに、連結部材３６，４６により合体及び上下に２分割できる構成とされている。これによって、介護者が被介護者の膝から下の部分を洗おうとしたときに、少なくとも第３又は第４のうちいずれか一方の周壁部材３０（４０）のサブフレーム部３２（４２）をメインフレーム部３１（４１）から取り外すことにより、これら周壁部材３０，４０の上縁部が介護者の脇や胸に当たるようなことがなく、介護者の手が目的の部分に容易に届くこととなる。このため、膝から下の部分など、従来技術では介護者が洗うのが困難であった箇所まで介護者が満足に洗ってあげられることになる。特に被介護者が上肢に障害があって自分の体を洗うことができず、且つ、このような被介護者の介助を身長の低い介護者が行う場合に上記の構成は極めて有効であり、従来技術とは異なり、介護者及び被介護者の双方ともせっかくの入浴にもかかわらず十分に下肢部が洗えないといった不満をかかえることはない。
【００３３】
尚、上記の例では第３及び第４の両周壁部材３０，４０を、上記したような２分割構造としているが、これに限らず、すべての周壁部材１０，２０，３０，４０を２分割構造としてもよいし、いずれか任意の１つまたは３つの周壁部材を２分割構造としてもよい。またこれとは逆に、すべての周壁部材１０，２０，３０，４０を２分割構造としなくともよい。
【００３４】
ところで、上記のようになる周壁部材１０，２０，３０，４０はそれぞれベース０の第１乃至第４側縁部１，２，３，４に立設されるわけであるが、ベース０の各側縁部１，２，３，４は前記したようにそれぞれ形状が異なっているため、周壁部材１０，２０，３０，４０はそれぞれ対応する側縁部１，２，３，４の態様に応じて縦寸法が個別に設定されている。
【００３５】
すなわち、ベース０の第２側縁部２に立設される第２周壁部材２０は、その下端部が直接ベース０の上面に回動可能に支持されるので、その縦寸法は、ベース０の長辺の長さと略同じ寸法とされ、ベース０上に完全倒伏された際に、上端部がベース０の第１側縁部１から外方に突出しないように図られている。
【００３６】
また、ベース０の第１側縁部１に立設される第１周壁部材１０は、その下端部がベース０の上がり口の段差部に着脱可能に支持されるので、その縦寸法は、第２周壁部材２０の縦寸法に段差部の高さ寸法を加えたのと略等しい寸法とされ、ベース０の第１側縁部１上に立設された際に、上端部がベース０の第２側縁部２に立設された第２周壁部材２０の上端部と高さが揃うように図られている。
【００３７】
また、ベース０の第３側縁部３に立設される第３周壁部材３０は、その下端部が第３周壁部材取付台座６に回動可能に支持されるので、その縦寸法は、第２周壁部材２０の縦寸法から第３周壁部材取付台座６の高さ寸法を差し引いたのと略等しい寸法とされ、ベース０の第３側縁部３上に立設された際に、上端部がベース０の第２側縁部２に立設された第２周壁部材２０の上端部と高さが揃うように図られている。
【００３８】
また、ベース０の第４側縁部４に立設される第４周壁部材４０は、その下端部が第４周壁部材取付台座７に回動可能に支持されるので、その縦寸法は、第２周壁部材２０の縦寸法から第３周壁部材取付台座６の高さ寸法と第４周壁部材取付台座７の高さ寸法との和を差し引いたのと略等しい寸法とされ、ベース０の第４側縁部４上に立設された際に、上端部がベース０の第２側縁部２に立設された第２周壁部材２０の上端部と高さが揃うように図られている。
【００３９】
さらに、第３周壁部材３０のメインフレーム部３１の縦寸法は、完全倒伏された際に、メインフレーム部３１の上端部が第４周壁部材取付台座７と干渉しない寸法に、また第４周壁部材４０のメインフレーム部４１の縦寸法は、完全倒伏された際に、メインフレーム部の上端部が第３周壁部材取付台座６を越えてベース０の側縁から外方に突出しないように図られている。
【００４０】
このようになる周壁部材１０，２０，３０，４０のうち、第１周壁部材１０は、その下端部が、第１側縁部１における段差部に取り付けられた一対の受座８，８内に着脱可能に嵌合されている。一方、第２乃至第４周壁部材２０，３０，４０は、それぞれその下端部におけるパイプ材が挿通される挿通孔９ａ（図１０参照）を有する取付アングル９により各対応するベース０の側縁部２，３，４に回動可能に取り付けられている。
【００４１】
＜連結具の構成＞
連結具について、ここでは、第２周壁部材２０と第４周壁部材４０の各メインフレーム部２１，４１同士の連結箇所を例に採って説明する。
【００４２】
この連結具６０は、第４周壁部材４０の垂直フレーム４４に回動可能に取り付けられた基端部６１と、第２周壁部材２０の垂直フレーム２４にその内側から嵌合する嵌合部６２とを備えたものである。
【００４３】
そして、この例で示したものと同じ構成の連結具６０が、その他の連結箇所においても設けられており、これら多数個の連結具６０で第１乃至第４周壁部材１０，２０，３０，４０の各垂直フレーム１４，２４，３４，４４同士が連結されることにより、第１乃至第４周壁部材１０，２０，３０，４０同士が連結固定される。
【００４４】
尚、連結固定手段は、上記したような連結具６０に限定されず、第１乃至第４周壁部材１０，２０，３０，４０同士を立設状態において強固に連結固定することができるものであれば、その構成は任意である。
【００４５】
＜分解方法＞
次に、上記のように構成された簡易浴槽用組立式筐体の分解手順について、図３乃至図８を参照して説明する。
【００４６】
まず、図３及び図４に示すように、第３周壁部材３０及び第４周壁部材４０の各サブフレーム部３２，４２をそれぞれメインフレーム部３１，４１から取り外す。取り外したサブフレーム部３２，４２は、一旦、分解作業の邪魔にならない場所に置いておく。
【００４７】
次に、第１周壁部材１０と第３周壁部材３０とを連結固定している連結具６０、及び、第１周壁部材１０と第４周壁部材４０とを連結固定している連結具６０の連結をそれぞれ解除した後、第１周壁部材１０を上方へ引き上げるようにして、ベース０の第１側縁部１の段差部にある受座８，８と第１周壁部材１０の下端部との嵌合状態を解除し、第１周壁部材１０をベース０から取り外す（図５参照）。取り外した第１周壁部材１０は、上記第３及び第４周壁部材３０，４０サブフレーム部３２，４２と同様、分解作業の邪魔にならない場所に置いておく。
【００４８】
続いて、第２周壁部材２０と第３周壁部材３０とを連結固定している連結具６０、及び、第２周壁部材２０と第４周壁部材４０とを連結固定している連結具６０の連結を解除した後、図６に示すように、第２周壁部材２０をベース０上に完全倒伏させる。
【００４９】
これに引き続いて、図７に示すように、第２周壁部材２０の上へ第３周壁部材３０を完全倒伏させ、さらに第３周壁部材３０の上へ第４周壁部材４０を完全倒伏させる。
【００５０】
そして最後に、図８に示すように、第４周壁部材４０の上に、先にベース０から取り外した第１周壁部材１０を載せ、さらにその上に第３及び第４周壁部材３０，４０の各サブフレーム部３２，４２を載せて分解作業を完了する。
【００５１】
図９は、その分解作業を完了した状態を、ベース０以外の部材を想像線にして示す正面図であり、この図からもわかるように、すべての部材がベース０上に整然と重畳されることとなる。あとは必要や情況に応じて、この状態のまま、例えばベッドの下方空間内に、ベース０下面の脚輪５を利用して移動させ、これを以って収納も完了する。
【００５２】
尚、組立手順は、上記した分解手順と逆の手順となる。
【００５３】
＜他の実施の形態＞
上記した実施の形態では、第１周壁部材１０と対向して第２周壁部材２０を配し、これらの間に第３及び第４周壁部材３０，４０を対向配置したが、本発明はこれに限らず、例えば、第１周壁部材１０と対向して第３周壁部材３０を配し、これらの間に第２及び第４周壁部材２０，４０を対向配置してもよい。要するに、第１周壁部材１０を除く３つの周壁部材２０，３０，４０をベース０上において順に完全倒伏できるのであれば、これら第２乃至第４周壁部材２０，３０，４０の相互の位置関係は任意である。
【００５４】
また、上記した実施の形態では、第３周壁部材３０を第２周壁部材２０の上へ完全倒伏させ得るように第２周壁部材２０の厚み寸法に相当する高さの第３周壁部材取付台座６をベース０の第３側縁部３に設けるとともに、第４周壁部材４０を第３周壁部材３０の上へ完全倒伏させ得るように第２周壁部材２０と第３周壁部材３０の各厚み寸法の和に相当する高さの第４周壁部材取付台座７をベース０の第４側縁部４に設けているが、第３及び第４周壁部材３０，４０を完全倒伏させるための方策はそのような取付台座６，７による必要はない。
【００５５】
例えば、図１１に示すように、第３及び第４周壁部材４０の各下端部に、これら各周壁部材３０，４０をベース０よりそれぞれ所定距離だけ引き上げ可能とするとともに該引き上げ状態で完全倒伏可能とするスライド支持具７０を設けてもよい。これらスライド支持具７０は、ベース０の第３及び第４側縁部３，４に摺動可能に貫設される摺動部７１と、この摺動部７１の下端に設けられたストッパ部７２と、このストッパ部７２とベース０の下面との間における摺動部７１に外嵌され、常時摺動部７１を下方に付勢するコイルスプリング７３と、摺動部７１の上端に設けられ各周壁部材３０，４０の下端部における水平フレームを回動可能に掴持するフレーム取付部７４とを備えたものである。そして、第３周壁部材３０に設けられるスライド支持具７０にあっては、その摺動量、つまりストッパ部７２とベース０の下面との間隔が、第２周壁部材２０の厚み寸法に相当する距離に設定され、一方、第４周壁部材４０に設けられるスライド支持具７０にあっては、ストッパ部７２とベース０の下面との間隔が、第２周壁部材２０と第３周壁部材３０の各厚み寸法の和に相当する距離に設定されている。
【００５６】
このようなスライド支持具７０を用いる構成とすれば、前記した各取付台座６，７をベース０に設ける必要はない。
【００５７】
また、第１乃至第４周壁部材１０，２０，３０，４０は、上記したようなフレーム構造のものに限らず、面パネルであってもよい。
【００５８】
＜簡易浴槽＞
以上説明した簡易浴槽用組立式筐体内に、例えば、前記特許文献６、７及び９に開示されているような簡易浴槽用シートや、本願の出願人が先に提案した特願２００６−９５３０２号に記載の簡易浴槽用シートを適宜設けることで車椅子に乗ったままの入浴に適した簡易浴槽が構成される。また、簡易浴槽用シートは、分解時に、ベース０上に各部材が重畳(図８及び図９参照)された上に簡易浴槽用シートを折り畳んだ状態で載置することができ、筐体とシートとをともに、例えばベッドの下方空間内に収納することができる。
【図面の簡単な説明】
【００５９】
【図１】本発明に係る簡易浴槽用組立式筐体の一実施の形態を示す斜視図である。
【図２】図１の視点とは反対側の視点から見た斜視図である。
【図３】分解工程を示す斜視図である。
【図４】分解工程を示す斜視図である。
【図５】分解工程を示す斜視図である。
【図６】分解工程を示す斜視図である。
【図７】分解工程を示す斜視図である。
【図８】分解工程を示す斜視図である。
【図９】分解を完了しすべての部材を重畳した状態を、ベース以外の部材を想像線にして示す正面図である。
【図１０】連結固定手段を示す部分拡大斜視図である。
【図１１】本発明に係る簡易浴槽用組立式筐体の他の実施例を示す概略正面図である。
【符号の説明】
【００６０】
０    ベース
１    第１側縁部
２    第２側縁部
３    第３側縁部
４    第４側縁部
５    脚輪
６    第３周壁部材取付台座
７    第４周壁部材取付台座
１０  第１周壁部材
１１  メインフレーム部
１２  サブフレーム部
２０  第２周壁部材
２１  メインフレーム部
２２  サブフレーム部
３０  第３周壁部材
３１  メインフレーム部
３２  サブフレーム部
４０  第４周壁部材
４１  メインフレーム部
４２  サブフレーム部
５０  受圧シート
６０  連結具（連結固定手段）
７０  スライド支持具
【図１】
2008079637.tif 000003
【図２】
2008079637.tif 000004
【図３】
2008079637.tif 000005
【図４】
2008079637.tif 000006
【図５】
2008079637.tif 000007
【図６】
2008079637.tif 000008
【図７】
2008079637.tif 000009
【図８】
2008079637.tif 000010
【図９】
2008079637.tif 000011
【図１０】
2008079637.tif 000012
【図１１】
2008079637.tif 000013
【手続補正書】
【提出日】平成19年4月2日(2007.4.2)
【手続補正１】
【補正対象書類名】特許請求の範囲
【補正対象項目名】請求項２
【補正方法】変更
【補正の内容】
【請求項２】
前記ベースに、前記簡易浴槽用シートに接続された排水管が挿通される排水管挿通孔が設けられるとともに、下面に脚部材が取り付けられたことを特徴とする請求項１に記載の簡易浴槽用組立式筐体。
【手続補正２】
【補正対象書類名】特許請求の範囲
【補正対象項目名】請求項４
【補正方法】変更
【補正の内容】
【請求項４】
前記第１乃至第４の周壁部材は、棒状部材で組まれたフレームと、このフレームの内方空間部に張設され貯湯時に前記簡易浴槽用シート内の湯の水圧を受容する受圧シートとから構成されたことを特徴とする請求項１乃至３のいずれか一つに記載の簡易浴槽用組立式筐体。
【手続補正３】
【補正対象書類名】特許請求の範囲
【補正対象項目名】請求項５
【補正方法】変更
【補正の内容】
【請求項５】
前記第１乃至第４の周壁部材のうち少なくとも一つは、上下２つに分割可能に構成されたことを特徴とする請求項１乃至４のいずれか一つに記載の簡易浴槽用組立式筐体。
【手続補正４】
【補正対象書類名】明細書
【補正対象項目名】００１１
【補正方法】変更
【補正の内容】
【００１１】
上記ベースに、前記簡易浴槽用シートに接続された排水管が挿通される排水管挿通孔が設けられるとともに、下面に脚部材が取り付けられたものとすることもできる。
【手続補正５】
【補正対象書類名】明細書
【補正対象項目名】００１５
【補正方法】変更
【補正の内容】
【００１５】
第１乃至第４の周壁部材は、その形態はパネル状であってもよいが、棒状部材で組まれたフレームと、このフレームの内方空間部に張設され貯湯時に前記簡易浴槽用シート内の湯の水圧を受容する受圧シートとから構成されたものであってもよい。
【手続補正６】
【補正対象書類名】明細書
【補正対象項目名】００１７
【補正方法】変更
【補正の内容】
【００１７】
また、第１乃至第４の周壁部材のうち少なくとも一つは、上下２つに分割可能に構成されたものであってもよい。